(57)【要約】【課題】多様な電子機器の入出力を統合して連係させること。【解決手段】電子タグリーダなどの機器情報取得部１３を表示装置１０に設ける。機器情報取得部１３は、デジタルカメラ２１、テレビ２２、スピーカ２３などの機器に埋め込まれた電子タグを読み取る。電子タグには自機器に関する情報をもたせ、表示装置１０は、読み取った情報に基づいて機器に対応するアイコンの表示部１１への表示と、機器の連係可否を判定する。そのため、表示装置１０は、複数の機器の入出力機能を組みあわせるインタフェースとして機能し、多様な電子機器の入出力を統合して連係させることができる。【選択図】図１
2011044040.tif 000002
【特許請求の範囲】
【請求項１】
他の機器の接近を検知し、前記接近した機器から当該機器に関する情報である機器情報を取得する機器情報取得部と、
前記機器情報に基づいて前記機器を模式的に表示する表示部と、
前記機器情報取得部が複数の機器から前記機器情報を取得した場合に、前記複数の機器が連係して動作可能か否かを判定する判定部と、
前記判定部の判定結果に基づいて前記表示部における表示内容を制御する制御部と
を備えたことを特徴とする表示装置。
【請求項２】
前記判定部は、第１の機器から機器情報を取得した後、所定時間内に第２の機器から機器情報を取得した場合に、前記第１の機器と前記第２の機器とが連係して動作可能であるか否かを判定することを特徴とする請求項１に記載の表示装置。
【請求項３】
前記表示部は、前記機器情報取得部が取得した機器情報に基づいて当該機器に対応するアイコンを表示し、前記判定部は、前記アイコンに対する操作入力であって、複数の機器の連係を要求する入力を受け付けた場合に判定を行なうことを特徴とする請求項１に記載の表示装置。
【請求項４】
前記アイコンに対する操作入力をタッチパネルで受け付けることを特徴とする請求項３に記載の表示装置。
【請求項５】
前記判定部は、前記複数の機器について前記機器情報を外部に送信し、当該複数の機器が連係して動作可能であるか否かの判定結果を受信することを特徴とする請求項１〜４のいずれか一つに記載の表示装置。
【請求項６】
自機器に関する情報を機器情報をとして送信する機器情報送信部を各々備えた複数の機器と、
前記複数の機器に対して連係動作を指示する連係指示装置と、
前記機器情報を受信する機器情報受信部を備え、受信した機器情報を前記連係指示装置に送信するとともに、前記機器情報に基づいた表示を行なう表示装置と
を含んだことを特徴とする機器連係システム。
【請求項７】
他の機器の接近を検知し、前記接近した機器から当該機器に関する情報である機器情報を取得する機器情報取得ステップと、
前記機器情報に基づいて前記機器のアイコンを表示部に表示するステップと、
前記機器情報取得ステップによって複数の機器から前記機器情報を取得した場合に、前記複数の機器が連係して動作可能か否かを判定する判定ステップと、
前記判定ステップの判定結果に基づいて前記アイコンの表示態様を制御するステップと
を含んだことを特徴とする機器連係制御方法。
【請求項８】
他の機器の接近を検知し、前記接近した機器から当該機器に関する情報である機器情報を取得する機器情報取得手順と、
前記機器情報に基づいて前記機器のアイコンを表示部に表示する手順と、
前記機器情報取得手順によって複数の機器から前記機器情報を取得した場合に、前記複数の機器が連係して動作可能か否かを判定する判定手順と、
前記判定手順の判定結果に基づいて前記アイコンの表示態様を制御する手順と
をコンピュータに実行させることを特徴とする機器連係制御プログラム。
【発明の詳細な説明】
【技術分野】
【０００１】
本発明は、表示装置、機器連係システム、機器連係制御方法および機器連係制御プログラムに関する。
【背景技術】
【０００２】
従来から、近距離での無線通信技術の開発が行なわれてきた。近距離での無線通信技術には、ＲＦＩＤ（Radio Frequency IDentification）やＵＷＢ(Ultra Wide Band)などがある。特にＲＦＩＤは、電子タグとして既に普及している。電子タグは、商品管理などに用いられている。
【０００３】
特に近年では、金属につけられるタグや防水性のタグが開発されており、あらゆるモノにタグがついて管理し、モノの付加情報を提供したり、タグの情報を認証に試用することが期待されている。ＲＦＩＤには、リーダに接触もしくは接近することで認識されるパッシブタグと、近距離まで認識可能なアクティブタグのタイプの電子タグに大別され、用途によって使い分けられる。
【０００４】
また、近年、電子ペーパーの開発が進められている。電子ペーパーは、書き換えのときに電力を消費するが、表示の維持に要する電力が非常に小さい、もしくは表示の維持に電力を用いない表示装置である。電子ペーパーは、従来の表示装置よりも薄く作ることが可能であり、近年注目されつつある表示装置である。表示面を曲げることができる電子ペーパーや、カラー表示が可能な電子ペーパーの開発も進んでおり、紙のごとく薄い形状の電子ペーパーの出現が確実視されている。
【先行技術文献】
【特許文献】
【０００５】
【特許文献１】特開２００５−３４３９４号公報
【発明の概要】
【発明が解決しようとする課題】
【０００６】
近年、携帯電話やデジカメ、パソコン、プリンター、メモリ装置、など、ユーザの持つ電子機器が増え、電子機器の使用シーンが多様になっている。各電子機器は、それぞれ入力装置や出力装置を備えて単独で利用可能である場合が多い。
【０００７】
そのため、ある機器の入力、出力について、近傍に存在する他の機器が優れた入力装置、出力装置を有しているにも関わらず、自機器に設けられた入力装置や出力装置しか使えない場合があった。
【０００８】
例えば、コンピュータ用のキーボードがそばにあるにもかかわらず、携帯電話のキーを使って入力を行なう場合がある。このときコンピュータのキーボードが携帯電話への入力装置として使えれば、入力の負担が軽減される。
【０００９】
携帯電話をコンピュータに接続し、コンピュータに専用のアプリケーションをインストールすることによって、コンピュータのキーボードから携帯電話への入力を可能とする技術も知られている。しかし、このような機器の連係は、機器の組み合わせごとに個別に用意されたものであり、多数の機器の連係を統合して制御するものではない。
【００１０】
また機器を接続する際には、接続対象である機器に対して直接操作が求められる場合や、電源を投入済みであることが条件となる場合がある。また、機器同士の距離が離れていると接続できない場合もあった。すなわち、接続する機器の距離や電源状態などをあらかじめ整えてからの連係を実行しなければならないという問題があった。
【００１１】
このように、従来の技術では、ユーザの所有する多様な電子機器の入出力を統合して連係させることができず、最適な装置利用がなされていないという問題点があった。
【００１２】
開示の技術は、上記に鑑みてなされたものであって、多様な電子機器の入出力を統合して連係させる表示装置、機器連係システム、機器連係制御方法および機器連係制御プログラムを提供することを目的とする。
【課題を解決するための手段】
【００１３】
本願の開示する表示装置、機器連係システム、機器連係制御方法および機器連係制御プログラムは、表示装置が接近した機器から機器情報を取得して模式的に表示し、複数の機器が連係して動作可能か否かを判定し、判定結果に基づいて前記表示部における表示内容を制御する。
【発明の効果】
【００１４】
本願の開示する表示装置、機器連係システム、機器連係制御方法および機器連係制御プログラムによれば、多様な電子機器の入出力を統合して連係させる表示装置、機器連係システム、機器連係制御方法および機器連係制御プログラムを得ることができるという効果を奏する。
【図面の簡単な説明】
【００１５】
【図１】図１は、実施例１にかかる表示装置および機器連係システムの構成図である。
【図２】図２は、機器情報の説明図である。
【図３】図３は、図１に示した機器連係システムの処理動作を示すフローチャートである。
【図４−１】図４−１は、デジタルカメラ２１とテレビ２２とを連係させる場合の説明図である。（その１）
【図４−２】図４−２は、デジタルカメラ２１とテレビ２２とを連係させる場合の説明図である。（その２）
【図４−３】図４−３は、デジタルカメラ２１とテレビ２２とを連係させる場合の説明図である。（その３）
【図４−４】図４−４は、デジタルカメラ２１とテレビ２２とを連係させる場合の説明図である。（その４）
【図５−１】図５−１は、テレビ２２とスピーカ２３を連係させる場合の説明図である。（その１）
【図５−２】図５−２は、テレビ２２とスピーカ２３を連係させる場合の説明図である。（その２）
【図５−３】図５−３は、テレビ２２とスピーカ２３を連係させる場合の説明図である。（その３）
【図５−４】図５−４は、テレビ２２とスピーカ２３を連係させる場合の説明図である。（その４）
【図６】図６は、連係の判定についての説明図である。
【図７】図７は、実施例２にかかる表示装置および機器連係システムの構成図である。
【図８】図８は、表示装置、情報機器、サーバの内部構成の説明図である。
【図９】図９は、図７に示した機器連係システムの処理動作を示すフローチャートである。
【図１０−１】図１０−１は、テレビ２２とスピーカ２３を連係させる場合の説明図である。（その１）
【図１０−２】図１０−２は、テレビ２２とスピーカ２３を連係させる場合の説明図である。（その２）
【図１０−３】図１０−３は、テレビ２２とスピーカ２３を連係させる場合の説明図である。（その３）
【図１０−４】図１０−４は、テレビ２２とスピーカ２３を連係させる場合の説明図である。（その４）
【図１１−１】図１１−１は、携帯電話とキーボードとの連係の説明図である。（その１）
【図１１−２】図１１−２は、携帯電話とキーボードとの連係の説明図である。（その２）
【図１１−３】図１１−３は、携帯電話とキーボードとの連係の説明図である。（その３）
【図１１−４】図１１−４は、携帯電話とキーボードとの連係の説明図である。（その４）
【図１１−５】図１１−５は、携帯電話とキーボードとの連係の説明図である。（その５）
【図１１−６】図１１−６は、携帯電話とキーボードとの連係の説明図である。（その６）
【図１１−７】図１１−７は、携帯電話とキーボードとの連係の説明図である。（その７）
【図１２−１】図１２−１は、表示装置とデジタルカメラとの連係の説明図である。（その１）
【図１２−２】図１２−２は、表示装置とデジタルカメラとの連係の説明図である。（その２）
【図１２−３】図１２−３は、表示装置とデジタルカメラとの連係の説明図である。（その３）
【図１２−４】図１２−４は、表示装置とデジタルカメラとの連係の説明図である。（その４）
【図１２−５】図１２−５は、表示装置とデジタルカメラとの連係の説明図である。（その５）
【図１２−６】図１２−６は、表示装置とデジタルカメラとの連係の説明図である。（その６）
【図１２−７】図１２−７は、表示装置とデジタルカメラとの連係の説明図である。（その７）
【図１２−８】図１２−８は、表示装置とデジタルカメラとの連係の説明図である。（その８）
【発明を実施するための形態】
【００１６】
以下に、本願の開示する表示装置、機器連係システム、機器連係制御方法および機器連係制御プログラムの実施例を図面に基づいて詳細に説明する。なお、この実施例は開示の技術を限定するものではない。
【実施例１】
【００１７】
図１は、実施例１にかかる表示装置および機器連係システムの構成図である。図１が示すように、表示装置１０は可搬型の装置であり、表示部１１、制御部１２、機器情報取得部１３、サーバ通信部１４を有する。
【００１８】
表示部１１は、液晶ディスプレイ、電子ペーパーなどである。機器情報取得部１３は、ＲＦＩＤ（Radio Frequency IDentification）タグリーダ、もしくはＵＷＢ(Ultra Wide Band)リーダなどである。
【００１９】
デジタルカメラ２１、テレビ２２、スピーカ２３などは、機器情報を送信する手段を有する。機器情報の送信は、例えば、ＲＦＩＤ（Radio Frequency IDentification）タグ、もしくはＵＷＢ(Ultra Wide Band)タグである。
【００２０】
デジタルカメラ２１、テレビ２２、スピーカ２３が送信する機器情報は、自機器に関する情報を含む。図２は、機器情報の説明図である。図２が示すように、機器情報３０は、機器ＩＤ３１、入力ポートアドレス３２、出力ポートアドレス３３、アイコン情報３４を有する。
【００２１】
機器ＩＤ３１は、その機器を特定する識別情報である。入力ポートアドレス３２は、その機器が有する入力装置を示す情報である。出力ポートアドレス３３は、その機器が有する出力装置を示す情報である。アイコン情報３４は、その機器に対応するアイコンの画像情報である。
【００２２】
図１に戻って説明を続ける。機器情報取得部１３は、デジタルカメラ２１、テレビ２２、スピーカ２３などから機器情報を取得して制御部１２に提供する。制御部１２は、機器情報からアイコン情報３４を取り出して表示部１１に表示させる。
【００２３】
また、機器情報取得部１３が、所定時間内に連続して複数の機器から機器情報を取得した場合、制御部１２は、複数の機器から取得した機器ＩＤ３１、入力ポートアドレス３２、出力ポートアドレス３３をサーバ通信部１４に送る。
【００２４】
サーバ通信部１４は、複数の機器から取得した機器ＩＤ３１、入力ポートアドレス３２、出力ポートアドレス３３をサーバ２０に送信する。サーバ２０は、受信した機器ＩＤ３１、入力ポートアドレス３２、出力ポートアドレス３３に示された機器が連係して動作可能か否かをサーバ通信部１４に応答する。加えて、サーバ２０は、デジタルカメラ２１、テレビ２２、スピーカ２３などとネットワーク接続されており、サーバ通信部１４に対する応答内容に合わせて、接続された機器に対して連係して動作するよう指示を出す。
【００２５】
このように図１が示す構成では、サーバ通信部１４は、表示装置１０において機器が連係して動作可能か否かを判定する判定部として機能するが、実際の判定処理はサーバ２０が行なっている。しかしながら、これはあくまで一例であり、機器が連係して動作可能であるか否かの判定処理を表示装置１０の内部で実行するよう構成してもよい。
【００２６】
制御部１２は、判定処理の結果、機器が連係して動作可能である場合には、表示部１１における表示内容を制御し、連係して動作可能であること、もしくは連係して動作中であることを示す表示内容とする。
【００２７】
サーバ２０は、既に述べたように機器の連係可否の判定の他、サーバ２０の機器情報を表示装置１０に提供し、他の機器と連係する機器の一つとして動作することもできる。具体的には、サーバ２０は、他の機器のデータを格納する、格納したデータを出力する、などの処理を行なうことができる。
【００２８】
図３は、図１に示した機器連係システムの処理動作を示すフローチャートである。表示装置１０と他の機器とが接近すると、機器情報取得部１３が機器情報を受信する（Ｓ１０１，Ｙｅｓ）。機器情報取得部１３が機器情報を受信すると、制御部１２は、他の機器のアイコンを表示部１１に表示中であるか否かを判定する（Ｓ１０２）。
【００２９】
他の機器のアイコンを表示中でなければ（Ｓ１０２，Ｎｏ）、制御部１２は表示部１１にアイコンを表示して（Ｓ１０８）、ステップＳ１０１に戻る。一方、他の機器のアイコンを表示中である場合（Ｓ１０２，Ｙｅｓ）、他の機器のアイコンを表示してから所定時間が経過したか否かを判定する（Ｓ１０３）。
【００３０】
他の機器のアイコンを表示してから所定時間が経過してれば（Ｓ１０３，Ｎｏ）、制御部１２は、表示部１１のアイコンを書き換えて（Ｓ１０９）、ステップＳ１０１に戻る。一方、他の機器のアイコンを表示してから所定時間内であれば（Ｓ１０２，Ｙｅｓ）、サーバ２０が２つの機器が連係して動作可能であるか、すなわち２つの機器を組み合わせて動作可能であるか否かを判定する（Ｓ１０４）。
【００３１】
２つの機器が組み合わせ可能でなければ（Ｓ１０５，Ｎｏ）、制御部１２は、表示部１１のアイコンを書き換えて（Ｓ１０９）、ステップＳ１０１に戻る。一方、２つの機器が組み合わせ可能であれば（Ｓ１０５，Ｙｅｓ）、サーバ２０は、各々の機器に対して連係先を指示する（Ｓ１０６）。そして、制御部１２が表示部１１の表示を変更し（Ｓ１０７）、処理を終了する。
【００３２】
図４は、デジタルカメラ２１とテレビ２２とを連係させる場合の説明図である。図４−１が示すように、デジタルカメラ２１に表示装置１０をかざすと、図４−２が示すように、表示装置１０はデジタルカメラ２１を模式的に示すアイコン４１を表示する。
【００３３】
つぎに、図４−３が示すように、テレビ２２に表示装置１０をかざすと、図４−４が示すように表示装置１０はテレビ２２を模式的に示すアイコン４２を表示する。表示装置１０をデジタルカメラ２１にかざしてからテレビ２２にかざすまでの時間が所定時間内であれば、デジタルカメラ２１とテレビ２２が連係する。
【００３４】
具体的には、サーバ２０がデジタルカメラ２１に対してテレビ２２を出力装置として使用するように指示し、テレビ２２に対してデジタルカメラ２１からの入力を受けるように指示する。この指示には、デジタルカメラ２１の出力ポートアドレスと、テレビ２２の入力ポートアドレスを使用する。この結果、デジタルカメラ２１は、テレビ２２を出力装置として使用し、画像表示を行なう。
【００３５】
また、表示装置１０には、デジタルカメラ２１に対応するアイコン４１とテレビ２２に対応するアイコン４２が連係中であることを示す表示を行なう。
【００３６】
図５は、テレビ２２とスピーカ２３を連係させる場合の説明図である。図５−１が示すように、テレビ２２に表示装置１０をかざすと、図５−２が示すように、表示装置１０はテレビ２２を模式的に示すアイコン４２を表示する。
【００３７】
つぎに、図５−３が示すように、スピーカ２３に表示装置１０をかざすと、図５−４が示すように表示装置１０はスピーカ２３を模式的に示すアイコン４２を表示する。表示装置１０をテレビ２２にかざしてからスピーカ２３にかざすまでの時間が所定時間内であれば、テレビ２２とスピーカ２３が連係する。
【００３８】
具体的には、サーバ２０がテレビ２２に対してスピーカ２３を出力装置として使用するように指示し、スピーカ２３に対してテレビ２２からの入力を受けるように指示する。この指示には、テレビ２２の出力ポートアドレスと、スピーカ２３の入力ポートアドレスを使用する。この結果、テレビ２２は、スピーカ２３を出力装置として使用し、音声出力を行なう。
【００３９】
また、表示装置１０には、テレビ２２に対応するアイコン４２とスピーカ２３に対応するアイコン４３が連係中であることを示す表示を行なう。
【００４０】
図６は、連係の判定についての説明図である。サーバ２０は、機器ＩＤによって機器を特定し、機器同士が連係可能であるか否かを図６が示すテーブルを参照して判定する。図６が示すように、携帯電話は、電子ペーパー、テレビ、スピーカ、パーソナルコンピュータ（ＰＣ）と連係可能である。ここで、パーソナルコンピュータは、サーバと共用することができる。
【００４１】
具体的には、携帯電話は、電子ペーパーを出力装置として使用して携帯電話の画面を拡大表示することができる。また、携帯電話はテレビに対するリモートコントローラ（リモコン）として動作することができ、テレビを携帯電話の画面の表示を行なう出力装置として使用することもできる。
【００４２】
また、携帯電話は、スピーカを音声の出力装置として用いてハンズフリーフォンとして機能することができる。同様に、携帯電話は、パーソナルコンピュータのキーボードを入力装置として使用することができる。また、携帯電話は、パーソナルコンピュータをデータの保存先として使用したり、パーソナルコンピュータが保持するデータの編集を行なうことができる。
【００４３】
テレビは、電子ペーパー、スピーカ、パーソナルコンピュータと連係可能である。具体的には、テレビは、電子ペーパーに詳細情報を表示させることができる。同様に、テレビは、スピーカを音声の再生に使用することができ、パーソナルコンピュータを介してネット接続したり、パーソナルコンピュータに番組データを保存して録画機能を実現することかできる。
【００４４】
デジタルカメラ、ビデオカメラ、ＢＤ（Blu-ray Disc）レコーダは、電子ペーパーやテレビを画面などの出力装置として使用することができる。同様に、スピーカを音声の出力装置として使用することができる。また、デジタルカメラ、ビデオカメラ、ＢＤレコーダは、パーソナルコンピュータを入力装置やデータの保存先として使用することができる。加えて、ビデオカメラは、パーソナルコンピュータが保持するデータを編集することができる。
【００４５】
サーバ２０は、図６が示すテーブルを参照し、機器の組み合わせがテーブルに登録されていれば、連係可能であると判定し、テーブルに登録されていなければ連係不可能であると判定する。テーブルの内容は、例えば機器の追加や削除があった場合に更新すればよい。
【００４６】
上述してきたように、本実施例１にかかる機器連係システムは、電子タグリーダを表示装置に設け、機器に埋めこまれた電子タグを読み取って機器の連係可否を判定する。そのため、表示装置は、複数の電子機器の入出力機能を組みあわせるインタフェースとして機能し、多様な電子機器の入出力を統合して連係させることができる。
【実施例２】
【００４７】
図７は、実施例２にかかる表示装置および機器連係システムの構成図である。図７が示す表示装置１０ａは可搬型の装置であり、表示部１１、制御部１２ａ、機器情報取得部１３、サーバ通信部１４、アイコン蓄積部１５、タッチパネル１６を有する。また、表示装置１０ａは、デジタルカメラ２１、テレビ２２、スピーカ２３、サーバ２０と接続する。図７に示した構成のうち、図１と同一の構成要素については同一の符号を付して説明を省略する。
【００４８】
タッチパネル１６は、表示部１１に重ねて設けられるパネルであり、パネルに対する接触を検知する入力手段である。パネルに対する接触位置の情報は制御部１２ａに入力される。制御部１２ａは、パネルに対する接触位置の情報と表示部１１の表示内容とを対応付けて入力を処理する。
【００４９】
例えば、制御部１２ａは、タッチパネル１６で接触を検知した位置にアイコンを表示中である場合、検知した接触は対応する位置に表示したアイコンを選択する選択操作として認識する。選択操作の後、接触位置が移動した場合、制御部１２ａは選択したアイコンの表示位置を移動させる移動操作として認識する。
【００５０】
また、制御部１２ａは、機器情報取得部１３が機器情報を取得した場合に、アイコン情報をアイコン蓄積部１５に蓄積する。機器ＩＤ、入力ポートアドレス、出力ポートアドレスは、アイコン情報に対応付けられてアイコン蓄積部１５に蓄積される。蓄積したアイコンは、対応する機器の状態、対応する機器の電源のオンオフに関わらず表示部１１に表示可能である。
【００５１】
制御部１２ａは、表示中のアイコンに対して移動操作が行なわれ、移動先に他のアイコンを表示中である場合、移動操作の対象であるアイコンに対応する機器と移動先のアイコンに対応する機器との連係を指示する連係操作として認識する。
【００５２】
制御部１２ａは、連係操作を認識した場合に、サーバ通信部１４に機器情報を出力し、連係可否の判定を行なわせる。
【００５３】
図８は、表示装置、情報機器、サーバの内部構成の説明図である。制御部１２ａは、その内部にアイコン制御部１２ｂとタグ解析部１２ｃを有する。アイコン制御部１２ｂは、アイコンの表示、アイコンに対する操作の検出、アイコンの表示態様の変更を行なう。また、タグ解析部１２ｃは、機器情報取得部１３が取得した機器情報を解析し、機器ＩＤ３１、入力ポートアドレス３２、出力ポートアドレス３３、アイコン情報３４を取り出す処理を行なう。
【００５４】
情報機器５０は、デジタルカメラ２１、テレビ２２、スピーカ２３などである。情報機器５０は、その内部に機器情報送信部５１、制御部５２、出力部５３、入力部５４、サーバ通信部５５を有する。
【００５５】
機器情報送信部５１は、例えばＲＦＩＤタグやＵＷＢタグであり、情報機器５０の機器情報を保持する。機器情報送信部５１が保持する機器情報は、表示装置１０ａが情報機器５０に接近した場合に機器情報取得部１３によって読み取られる。
【００５６】
制御部５２は、情報機器５０の全体を制御する制御部であり、サーバ通信部５５、出力部５３、入力部５４と接続している。制御部５２と機器情報送信部５１とを接続すれば、制御部５２は機器情報を書き換えることができる。制御部５２による機器情報の書き換えが不要であれば、制御部５２と機器情報送信部５１とを接続しなくともよい。
【００５７】
サーバ通信部５５は、サーバ２０と通信して連係先の機器の情報を受け取る。このため、出力部５３、入力部５４は、情報機器５０に対する入出力の他、連係した他の情報機器の入出力に用いることができる。
【００５８】
サーバ２０は、その内部に機器情報送信部６１、制御部６２、通信部６３、ユーザデータ格納部６４、入出力組み合わせテーブル６５を有する。機器情報送信部６１は、サーバ２０の機器情報を保持する。機器情報送信部６１が保持する機器情報は、表示装置１０ａがサーバ２０に接近した場合に機器情報取得部１３によって読み取られる。サーバ２０と他の機器とを連係させない場合には、機器情報送信部６１を設ける必要はない。
【００５９】
制御部６２は、サーバ２０の全体を制御する制御部である。通信部６３は、表示装置１０ａが有するサーバ通信部１４や情報機器５０が有するサーバ通信部５５と通信する。入出力組み合わせテーブル６５は、機器の入出力の組み合わせ、すなわち機器の連係が可能であるか否かを示すテーブルである。ユーザデータ格納部６４は、ユーザが任意の情報を格納することのできる記憶部である。
【００６０】
図９は、図７に示した機器連係システムの処理動作を示すフローチャートである。表示装置１０ａと他の機器とが接近すると、機器情報取得部１３が機器情報を受信する（Ｓ２０１，Ｙｅｓ）。機器情報取得部１３が機器情報を受信すると、制御部１２ａは、アイコンを表示部１１に表示する（Ｓ２０２）。
【００６１】
機器情報を受信していない場合（Ｓ２０１，Ｎｏ）、もしくはアイコン表示（Ｓ２０２）を行なった後、制御部１２ａはアイコンに対する操作を監視する。アイコンに対する操作を検出しなければ（Ｓ２０３，Ｎｏ）、再びステップＳ２０１に戻る。
【００６２】
アイコンに対する操作を検出した場合（Ｓ２０３，Ｙｅｓ）、制御部１２ａは検出した操作に基づいてアイコンを制御する（Ｓ２０４）。その結果、制御したアイコンが他のアイコンと重なった場合（Ｓ２０５，Ｙｅｓ）、サーバ２０が２つの機器が連係して動作可能であるか、すなわち２つの機器を組み合わせて動作可能であるか否かを判定する（Ｓ２０６）。
【００６３】
２つの機器が組み合わせ可能でない場合（Ｓ２０７，Ｎｏ）、もしくはアイコン制御の結果、アイコンが重ならなければ、制御部１２ａは、ステップＳ２０１に戻る。一方、２つの機器が組み合わせ可能であれば（Ｓ２０７，Ｙｅｓ）、サーバ２０は、各々の機器に対して連係先を指示する（Ｓ２０８）。そして、制御部１２ａが表示部１１の表示を変更し（Ｓ２０９）、処理を終了する。
【００６４】
図１０は、テレビ２２とスピーカ２３とを連係させる場合の説明図である。図１０−１が示すように、表示装置１０ａには、テレビ２２に対応するアイコン４２とスピーカ２３に対応するアイコン４３とが既に表示されている。この状態で、アイコン４３を移動操作し、アイコン４２に重ねると、図１０−２が示すように、テレビ２２とスピーカ２３の機器情報がサーバ２０に送られる。
【００６５】
サーバ２０は、図１０−３が示すように、テレビ２２に対してスピーカ２３を出力装置として使用するように指示し、スピーカ２３に対してテレビ２２からの入力を受けるように指示する。この指示には、テレビ２２の出力ポートアドレスと、スピーカ２３の入力ポートアドレスを使用する。この結果、テレビ２２は、スピーカ２３を出力装置として使用し、音声出力を行なう。
【００６６】
機器の連係を終了する場合、アイコンの移動操作などを行なって連係中の機器に対応するアイコン同士の距離を離すことによって、連係終了操作とすることができる。
【００６７】
また、図１０−４が開示するように、個別のアイコンに対する入力を行なうことで、対応する機器を操作することができる。たとえば、アイコン４３に対する接触を検知した場合、制御部１２ａは、アイコン４３に対応する機器であるスピーカの操作メニューを表示する。スピーカ２３の操作メニューとしては、音量やバランスの操作がある。この操作メニューにしたがって操作入力が行なわれた場合、制御部１２ａは、操作内容をサーバ２０に送信する。サーバ２０は、受信した操作内容を対応する機器であるスピーカ２３に転送することで、表示装置１０ａに対して行なわれた操作入力をスピーカ２３に反映させる。
【００６８】
図１１は、携帯電話とキーボードとの連係の説明図である。図１１−１が示すように表示装置１０ａ上に携帯電話２４、デジタルカメラ２１、キーボード２５を置くと、図１１−２が示すように携帯電話２４のアイコン４４、デジタルカメラ２１のアイコン４１、キーボード２５のアイコン２５が表示される。
【００６９】
アイコン情報は、アイコン蓄積部１５に蓄積され、図１１−３が示すように、携帯電話２４、デジタルカメラ２１、キーボード２５を取り除いた後もアイコン４４，４１，４５の表示は継続する。
【００７０】
図１１−４が示すように、アイコン４５に対する移動操作を受け付けて、図１１−５が示すようにアイコン４５がアイコン４４に重なった場合、制御部１２ａは、アイコン４５に対応するキーボード４５とアイコン４４に対応する携帯電話の連係指操作と認識する。
【００７１】
連係操作を認識した制御部１２ａは、図１１−５が示すようにアイコン４４の点滅などによって連係操作を受け付けたことを通知し、図１１−６が示すようにサーバ２０に携帯電話４４とキーボード４５に関する情報を送信する。連係が可能であれば、制御部１２ａはアイコン４４とアイコン４５とを繋ぐ線を表示するなどによって連係が行なわれたことを通知する。
【００７２】
連係を確立した後、キーボード２５に対する入力が行なわれると、キーボード２５は入力された内容をサーバ２０経由で携帯電話２４に送る。このため、キーボード２５を携帯電話２４に対する入力装置として使用することができる。
【００７３】
図１２は、表示装置とデジタルカメラとの連係の説明図である。図１２−１が示すように表示装置１０ａ上にデジタルカメラ２１を置くと、図１２−２が示すようにデジタルカメラ２１のアイコン４１が表示装置１０ａに表示される。
【００７４】
アイコン情報は、アイコン蓄積部１５に蓄積され、図１２−３が示すように、デジタルカメラ２１を取り除いた後もアイコン４１の表示は継続する。制御部１２ａは、アイコン４１に対する選択操作を検出すると、アイコン４１に対応するデジタルカメラ２１のデータを出力可能な装置のリストを表示する。図１２−４が示す例では、出力先としてデジタルカメラ２１自体、表示装置１０ａの表示部１１を示す電子ペーパー、サーバ２０の画面を提示している。また、図１２−４が示す例は、提示した出力先のうち、電子ペーパーが選択された状態である。
【００７５】
出力先の選択を受け付けた制御部１２ａは、図１２−５が示すように、どこに保存したデータを出力するかを選択するメニューを表示する。図１２−５の例は、デジタルカメラ２１本体に保存したデータと、サーバ２０が保持するデータであって、デジタルカメラ２１に対応付けられたデータが候補として提示され、デジタルカメラ２１本体内のデータが選択された状態である。
【００７６】
表示装置１０ａは、デジタルカメラ２１本体内のデータが選択されたことをサーバ２０に通知し、サーバ２０は、図１２−６が示すようにデジタルカメラ２１からデータを取得する。その後、図１２−７が示すように、サーバ２０はデジタルカメラ２１から取得したデータを表示装置１０ａに送信する。表示装置１０ａは、図１２−８が示すように、サーバ２０から受信したデータＦ１，Ｆ２を表示部１１に表示する。
【００７７】
このように、表示装置１０ａは、各種機器の連係に対するインタフェースとして機能するとともに、表示装置１０ａ自体が他の機器と連係することができる。また、サーバ２０は、連係可否の判定、連係先の制御、連係の中継に加え、サーバ２０自体が他の機器と連係することができる。
【００７８】
上述してきたように、本実施例２にかかる機器連係システムは、取得した機器情報を蓄積し、表示装置上の操作に基づいて連係を制御する。そのため、いったん機器情報を蓄積した機器については、以降は機器に対して表示装置を近づけることなく制御することが可能である。
【００７９】
また、電源が入っていない機器や通信圏外にある機器であっても、表示装置上において仮想的な連係のための操作による機器同士のコネクションを指定して準備しておき、対象の機器に電源がはいった場合や通信圏内に入って使用可能となった場合に機器間の連係を実行することができる。
【００８０】
加えて、表示装置に電子ペーパーを利用すれば、表示装置の電源を落としてもアイコンの表示や接続関係の表示などを残すことができる。
【００８１】
また、機器の連係のみならず、機器単体の操作についても表示装置から指示することができるため、表示装置は各機器のリモートコントローラとして機能することができる。
【００８２】
また、接続先が複数ある場合などには、選択可能な動作をリスト表示し、ユーザからの操作入力を受け付けることで簡易な操作を実現できる。例えば、表示装置を携帯電話とテレビにかざした場合、テレビの画面やコンテンツに対して、携帯電話を入力装置として使う、携帯電話の画面を大きく表示する装置としてテレビを使う、といった２通りの使い方が考えられるが、その選択肢を表示装置に表示することができる。
【００８３】
なお、実施例１，２に示した構成および動作はあくまで一例であり、開示の技術は適宜変更して実施することができる。たとえば、ＵＷＢタグを用いて機器情報を取得する場合、ＵＷＢの距離測定機能を用いて予め定義された距離内に近づいた場合に、機器情報を取得するようにしてもよい。また、機器の組み合わせが無効であった場合、無効であることを通知するように構成しても良い。
【００８４】
また、感圧センサなどで表示装置上に置かれた機器を検知し、アイコンの表示位置と機器が置かれた位置とを合わせるようにてもよい。さらに、感圧センサによって表示装置上に置かれた機器の形状を識別し、形状から機器の種別を認識するようにしてもよい。
【００８５】
また、実施例１，２に開示した表示装置は、任意のコンピュータシステム上で動作するプログラムとして実現することができる。プログラムとしての実施では、ＣＰＵ（Central Processing Unit）がメモリ上にプログラムを展開して実行することで制御部１２，１２ａとして機能することとなる。
【００８６】
以上の各実施例を含む実施形態に関し、さらに以下の付記を開示する。
【００８７】
（付記１）他の機器の接近を検知し、前記接近した機器から当該機器に関する情報である機器情報を取得する機器情報取得部と、
前記機器情報に基づいて前記機器を模式的に表示する表示部と、
前記機器情報取得部が複数の機器から前記機器情報を取得した場合に、前記複数の機器が連係して動作可能か否かを判定する判定部と、
前記判定部の判定結果に基づいて前記表示部における表示内容を制御する制御部と
を備えたことを特徴とする表示装置。
【００８８】
（付記２）前記判定部は、第１の機器から機器情報を取得した後、所定時間内に第２の機器から機器情報を取得した場合に、前記第１の機器と前記第２の機器とが連係して動作可能であるか否かを判定することを特徴とする付記１に記載の表示装置。
【００８９】
（付記３）前記表示部は、前記機器情報取得部が取得した機器情報に基づいて当該機器に対応するアイコンを表示し、前記判定部は、前記アイコンに対する操作入力であって、複数の機器の連係を要求する入力を受け付けた場合に判定を行なうことを特徴とする付記１に記載の表示装置。
【００９０】
（付記４）前記アイコンに対する操作入力をタッチパネルで受け付けることを特徴とする付記３に記載の表示装置。
【００９１】
（付記５）前記判定部は、前記複数の機器について前記機器情報を外部に送信し、当該複数の機器が連係して動作可能であるか否かの判定結果を受信することを特徴とする付記１〜４のいずれか一つに記載の表示装置。
【００９２】
（付記６）前記判定部は、前記複数の機器に含まれる機器の入力と出力のうち少なくともいずれかを前記複数の機器に含まれる他の機器が行なう連係動作が可能であるか否かを判定することを特徴とする付記１〜５のいずれか一つに記載の表示装置。
【００９３】
（付記７）前記複数の機器の一つとして表示装置自体を含むことを特徴とする付記１〜６のいずれか一つに記載の表示装置。
【００９４】
（付記８）前記機器情報取得部は、ＲＦＩＤ（Radio Frequency IDentification）タグリーダ、もしくはＵＷＢ(Ultra Wide Band)リーダであることを特徴とする付記１に記載の表示装置。
【００９５】
（付記９）前記表示部は、電子ペーパーであることを特徴とする付記１〜８のいずれか一つに記載の表示装置。
【００９６】
（付記１０）自機器に関する情報を機器情報をとして送信する機器情報送信部を各々備えた複数の機器と、
前記複数の機器に対して連係動作を指示する連係指示装置と、
前記機器情報を受信する機器情報受信部を備え、受信した機器情報を前記連係指示装置に送信するとともに、前記機器情報に基づいた表示を行なう表示装置と
を含んだことを特徴とする機器連係システム。
【００９７】
（付記１１）他の機器の接近を検知し、前記接近した機器から当該機器に関する情報である機器情報を取得する機器情報取得ステップと、
前記機器情報に基づいて前記機器のアイコンを表示部に表示するステップと、
前記機器情報取得ステップによって複数の機器から前記機器情報を取得した場合に、前記複数の機器が連係して動作可能か否かを判定する判定ステップと、
前記判定ステップの判定結果に基づいて前記アイコンの表示態様を制御するステップと
を含んだことを特徴とする機器連係制御方法。
【００９８】
（付記１２）他の機器の接近を検知し、前記接近した機器から当該機器に関する情報である機器情報を取得する機器情報取得手順と、
前記機器情報に基づいて前記機器のアイコンを表示部に表示する手順と、
前記機器情報取得手順によって複数の機器から前記機器情報を取得した場合に、前記複数の機器が連係して動作可能か否かを判定する判定手順と、
前記判定手順の判定結果に基づいて前記アイコンの表示態様を制御する手順と
をコンピュータに実行させることを特徴とする機器連係制御プログラム。
【符号の説明】
【００９９】
１０，１０ａ  表示装置
１１    表示部
１２，１２ａ    制御部
１２ｂ  アイコン制御部
１２ｃ  タグ解析部
１３    機器情報取得部
１４    サーバ通信部
２０    サーバ
２１    デジタルカメラ
２２    テレビ
２３    スピーカ
２４    携帯電話
２５    キーボード
３０    機器情報
３１    機器ＩＤ
３２    入力ポートアドレス
３３    出力ポートアドレス
３４    アイコン情報
４１〜４５  アイコン
【図１】
2011044040.tif 000003
【図２】
2011044040.tif 000004
【図３】
2011044040.tif 000005
【図４−１】
2011044040.tif 000006
【図４−２】
2011044040.tif 000007
【図４−３】
2011044040.tif 000008
【図４−４】
2011044040.tif 000009
【図５−１】
2011044040.tif 000010
【図５−２】
2011044040.tif 000011
【図５−３】
2011044040.tif 000012
【図５−４】
2011044040.tif 000013
【図６】
2011044040.tif 000014
【図７】
2011044040.tif 000015
【図８】
2011044040.tif 000016
【図９】
2011044040.tif 000017
【図１０−１】
2011044040.tif 000018
【図１０−２】
2011044040.tif 000019
【図１０−３】
2011044040.tif 000020
【図１０−４】
2011044040.tif 000021
【図１１−１】
2011044040.tif 000022
【図１１−２】
2011044040.tif 000023
【図１１−３】
2011044040.tif 000024
【図１１−４】
2011044040.tif 000025
【図１１−５】
2011044040.tif 000026
【図１１−６】
2011044040.tif 000027
【図１１−７】
2011044040.tif 000028
【図１２−１】
2011044040.tif 000029
【図１２−２】
2011044040.tif 000030
【図１２−３】
2011044040.tif 000031
【図１２−４】
2011044040.tif 000032
【図１２−５】
2011044040.tif 000033
【図１２−６】
2011044040.tif 000034
【図１２−７】
2011044040.tif 000035
【図１２−８】
2011044040.tif 000036